(57)【特許請求の範囲】
【請求項１】
傾斜角度が互いに異なる複数の傾斜反射面を有する角錐台形状のチルトミラーがモータの回転子軸の一端側に回転子と共に抜け止めかつ回り止めされて組み付けられ、前記回転子軸は固定子ハウジングに設けられた軸受部によって回転可能に軸支された光走査装置であって、
前記チルトミラーの頂部には軸方向に厚肉に形成された面取り部が設けられ、該面取り部に前記回転子軸が貫通する凹部が形成されており、当該凹部の直上に組み付けられる抜け止め部と前記凹部内底部との間には前記チルトミラーを前記回転子に向かって常時付勢する弾性部材が前記抜け止め部に抜け止めされて埋設されていることを特徴とする光走査装置。
【請求項２】
前記凹部の直上に前記回転子軸が貫通する抜け止めワッシャーが前記面取り部から隙間を設けて組み付けられている請求項１記載の光走査装置。
【請求項３】
前記凹部内底部と前記抜け止め部との間には、コイルばねが圧縮されて嵌め込まれている請求項１又は請求項２記載の光走査装置。
【請求項４】
前記回転子と前記チルトミラーとは凹凸嵌合により回り止めされて組み付けられている請求項１乃至請求項３記載のいずれか１項記載の光走査装置。
【請求項５】
前記チルトミラーの嵌合孔の孔底部と、前記回転子ヨークに設けられた突起部の先端部との間に隙間を設けて凹凸嵌合されている請求項１乃至請求項４のいずれか１項記載の光走査装置。
【発明の詳細な説明】
【技術分野】
【０００１】
本発明は、例えば光源から照射された光を走査したり反射光を受光したりするチルトミラーを回転子とともに回転子軸に組み付けられた光走査装置に関する。
【背景技術】
【０００２】
光走査装置としては、正多角柱状のポリゴンミラーを回転子とともに回転子軸に嵌め込まれて組み付けられる。具体的には、固定子ハウジングに回転可能に軸支された回転子軸に回転子ヨークが回転可能に固定されている。回転子ヨークに対してポリゴンミラーは回り止めかつ抜け止めされて組み付けられる。ポリゴンミラーは、変形や歪を避けるため、回転子軸に対して直接固定されることなく回転子ヨークと一体に組み付けられる。しかしながら、回転子軸の軸端に組み付けられるため、回転子ヨークの天板を板状の押さえばねなどの付勢部材を用いてポリゴンミラーを回転子ヨークに向かって軸方向に押さえ込むことで抜け止めして組み付けられる（特許文献１参照）。
【先行技術文献】
【特許文献】
【０００３】
【特許文献１】特開２０００−３３００６２号公報
【発明の概要】
【発明が解決しようとする課題】
【０００４】
特許文献１のような角柱状のポリゴンミラーは、一般に天板部分は平坦な形状であり、多角錐台状のチルトミラーも天板部分は平坦な形状であり押さえばねなどの付勢部材を設ける面積が十分にある。
【０００５】
しかしながら、チルトミラーの光量を増やして、ミラー反射面積を広く確保したい場合には、天板部分の面積は可及的に狭くする必要があるため、押さえばね等の付勢部材を設けるスペースがなくなる。ミラーを回転子軸に対して圧入などの歪が発生しやすい固定方法を採用することはできない。
また、仮にチルトミラーの天板部分に板ばね等を設けるとすれば、軸方向の高さが高くなり、軸方向に大型化しやすいという課題もある。
【０００６】
本発明はこれらの課題を解決すべくなされたものであり、その目的とするところは、チルトミラーの反射面積を可及的に広く確保しつつ、抜け止めを確実に行える光走査装置を提供することにある。
【課題を解決するための手段】
【０００７】
本発明は上記目的を達成するため、次の構成を備える。
傾斜角度が互いに異なる複数の傾斜反射面を有する角錐台形状のチルトミラーがモータの回転子軸の一端側に回転子と共に抜け止めかつ回り止めされて組み付けられ、前記回転子軸は固定子ハウジングに設けられた軸受部によって回転可能に軸支された光走査装置であって、前記チルトミラーの頂部には軸方向に厚肉に形成された面取り部が設けられ、該面取り部に前記回転子軸が貫通する凹部が形成されており、当該凹部の直上に組み付けられる抜け止め部と前記凹部内底部との間には前記チルトミラーを前記回転子に向かって常時付勢する弾性部材が前記抜け止め部に抜け止めされて埋設されていることを特徴とする。
【０００８】
上記構成によれば、チルトミラーの頂部に軸方向に厚肉に形成された面取り部に凹部が設けられ、該凹部の直上に組み付けられる抜け止め部と凹部内底部との間に弾性部材が抜け止め部に抜け止めされて埋設されているので、チルトミラーを回転子に向かって常時付勢して抜け止めすることができる。よって、チルトミラーを軸方向に高く成形して反射面の反射面積を増やして広範囲に反射光を走査することができ、しかも軸方向に大型化することなく抜け止めも行うことができる。
【０００９】
前記凹部の直上に前記回転子軸が貫通する抜け止めワッシャーが前記面取り部から隙間を設けて組み付けられていることが好ましい。これにより、抜け止めワッシャーを凹部の直上に回転子軸を貫通させて設けるだけで弾性部材を圧縮して組み付けることができる。
【００１０】
前記凹部内底部と前記抜け止め部との間には、コイルばねが圧縮されて嵌め込まれていてもよい。これにより、凹部を貫通する回転子軸にばね部材を同心状に嵌め込んで抜け止めワッシャーを凹部の直上に設けると、コイルばねが押し縮められるのでこの弾発力によりチルトミラーを回転子ヨークに対して押さえ込むことができる。
【００１１】
前記回転子と前記チルトミラーとは凹凸嵌合により回り止めされて組み付けられていることが望ましい。回転子と一体に回転するチルトミラーが相対回転するのを防ぎ、組み付けも容易に行える。
【００１２】
また、前記チルトミラーの嵌合孔の孔底部と、前記回転子ヨークに設けられた突起部の先端部との間に隙間を設けて凹凸嵌合されていることが好ましい。
これにより、抜け止め部と面取り部との間の隙間に加えて弾性部材による過度の押圧力を逃がして吸収しやすくし回転子側からチルトミラー側に作用する振動を弾性部材によって吸収し易くすることができる。
【発明の効果】
【００１３】
上述したようにミラーの反射面積を可及的に広く確保しつつ、抜け止めを確実に行える光走査装置を提供することができる。
【図面の簡単な説明】
【００１４】
【図１】光走査装置の軸方向断面図である。
【図２】図１のチルトミラー頂部の部分拡大断面図である。
【発明を実施するための形態】
【００１５】
以下、本発明に係る光走査装置の一実施形態について、添付図面を参照しながら説明する。先ず、レーザー照射装置を光源とするレーザー光を反射させて広範囲に照射する光走査装置について説明する。
【００１６】
図１に示すように、光走査装置１は、モータ２に傾斜が異なる反射面を有するチルトミラー３がモータ２の回転子軸４の一端側に回転子ヨーク５と共に抜け止めかつ回り止めされて組み付けられている。
先ずモータ２の構造から説明すると、ベースプレート６には固定子ハウジング７が一体に組み付けられている。ベースプレート６上には、回転子磁石５ｄの磁極を検出するホールＩＣ等のモータ基板８が組み付けられている。
【００１７】
筒状の固定子ハウジング７の筒体内部には、第一軸受部９ａ及び第二軸受部９ｂが各々組み付けられている。第一軸受部９ａ及び第二軸受部９ｂとしては、例えば転がり軸受が用いられる。固定子ハウジング７の外周面には、段付き部７ａが設けられている。この段付き部７ａには、固定子１０が組み付けられている。固定子１０は、固定子コア１０ａがインシュレータにより覆われ各極歯１０ｂにはモータコイル１０ｃが巻かれたものが段付き部７ａに組み付けられる。固定子コア１０ａは、固定子ハウジング７に対して圧入及び接着により組み付けられる。
【００１８】
回転子１１は、回転子軸４が固定子ハウジング７の第一軸受部９ａ及び第二軸受部９ｂによって回転可能に軸支されている。回転子ヨーク５は、回転子ハブ５ａに対して環状の回転子ヨーク部５ｂがかしめられて一体に組み付けられている。回転子ハブ５ａの中央部には、回転子ヨーク５ｂ側に向かって筒状のスリーブ５ｃが軸方向に起立形成されている。このスリーブ５ｃの筒孔には、回転子軸４が圧入、焼嵌め、接着等により一体に組み付けられている。回転子ハブ５ａに形成されたスリーブ５ｃと軸方向反対側には突起部５ｅが突設されている。突起部５ｅは複数設けられていてもよい。また、回転子ヨーク５ｂの内周面には回転子磁石５ｄが一体に組み付けられている。回転子磁石５ｄは周方向にＮ極及びＳ極が交互に着磁されており、固定子１０の極歯１０ｂと対向して組み付けられる。
【００１９】
回転子１１には、チルトミラー３が一体に組み付けられる。チルトミラー３は、傾斜角度が異なる複数の反射面３ａが形成された角錐台形状をしている。中心部には、回転子軸４を挿入可能な軸孔（貫通孔）３ｂが設けられている。チルトミラー３は母材（金属材若しくは樹脂材）に対して金属蒸着又は研磨等されて反射面３ａが鏡面に仕上げられている。また、チルトミラー３は、モータ２に対向する面に、回転子ヨーク５を収納可能な収納凹部３ｃが形成されている。この収納凹部３ｃの内底部３ｄには、嵌合孔３ｅが設けられている。
【００２０】
固定子１０を固定子ハウジング７に組み付け、回転子１１を回転子軸４が固定子ハウジング７に挿入されて軸支された後で、チルトミラー３が、回転子ハブ５ａに重ね合わせるように回転子軸４に軸孔３ｂを挿入して組み付けられる。チルトミラー３は、収納凹部３ｃに回転子ヨーク５が収納され、嵌合孔３ｅに突起部５ｅが嵌め込まれるように内底部３ｄを回転子ハブ５ａと重ね合わせて組み付けられる。突起部５ｅと嵌合孔３ｅに凹凸嵌合することで、回転子１１と一体に回転するチルトミラー３が相対回転するのを防ぎ、組み付けも容易に行える。
【００２１】
図２に示すように、チルトミラー３の頂部には面取り部３ｆが設けられ、該面取り部３ｆには回転子軸４が貫通する凹部３ｇが形成されている。抜け止めワッシャー１２（抜け止め部）は、回転子軸４が貫通する凹部３ｇの直上に面取り部３ｆから隙間を設けて組み付けられる。抜け止めワッシャー１２は、回転子軸４に設けられた止め輪１３（スナップリング、ｅリング）によって軸方向位置が固定されている。
【００２２】
前記凹部３ｇの内底部３ｈと抜け止めワッシャー１２との間には、コイルばね１４（弾性部材）が圧縮されて嵌め込まれている。このコイルばね１４の弾発力によりチルトミラー３を回転子ヨーク５に向かって常時付勢することで軸方向に抜け止めされている。
【００２３】
また、図２に示すように、チルトミラー３は、嵌合孔３ｅに突起部５ｅが嵌め込まれることで回転子１０に対して回り止めされて組み付けられている。抜け止めワッシャー１２と面取り部３ｆとの間の隙間に加えて突起部５ｅの先端部と嵌合孔３ｅとの孔底部との間にも隙間を設けて嵌め込まれている。これは、コイルばね１４による過度の押圧力を逃がして吸収すること及び回転子１１側からチルトミラー３側に作用する振動をコイルばね１４によって吸収し易くするためである。尚、凹部３ｇには、コイルばね１４に限らず、板バネ、皿ばね、ゴム材等の他の弾性部材であってもよい。
【００２４】
また、チルトミラー３の頂部には面取り部３ｆが設けられていたが、抜け止めワッシャー１２の姿勢が安定して組み付けられるのであれば、反射面３ａの面積をかせぐうえでは面取り部３ｆを可及的に省略することが望ましい。
【００２５】
以上説明したように、チルトミラー３の頂部に設けられた凹部３ｇの直上に組み付けられる抜け止めワッッシャ−１２と凹部内底部３ｈとの間に弾性部材（コイルばね１４）が組み付けられているので、チルトミラー３を回転子ヨーク５ｂに向かって常時付勢して抜け止めすることができる。よって、チルトミラー３を軸方向に高く成形して反射面３ａの反射面積を増やすことができ、しかも軸方向に大型化することなく抜け止めも行うことができる。
【００２６】
また、チルトミラー３の頂部に面取り部３ｆが設けられ、該面取り部３ｆに回転子軸４が貫通する凹部３ｇが形成されていると、抜け止めワッシャー１２を凹部３ｇの直上に組み付けるだけで凹部３ｇ内に装填された弾性部材（コイルばね１４）を圧縮して組み付けることができる。
具体的には、凹部３ｇを貫通する回転子軸４にコイルばね１４を同心状に嵌め込み、抜け止めワッシャー１２を凹部３ｇの直上に設けると、コイルばね１４が押し縮められるのでこの弾発力によりチルトミラー３を回転子ヨーク５に対して押さえ込むことができる。
【符号の説明】
【００２７】
１  光走査装置  ２  モータ  ３  チルトミラー  ３ａ  反射面  ３ｂ  軸孔  ３ｃ  収納凹部  ３ｄ，３ｈ  内底部  ３ｅ  嵌合孔  ３ｆ  面取り部  ３ｇ  凹部  ４  回転子軸  ５  回転子ヨーク  ５ａ  回転子ハブ  ５ｂ  回転子ヨーク  ５ｃ  スリーブ  ５ｄ  回転子磁石  ５ｅ  突起部  ６  ベースプレート  ７  固定子ハウジング  ７ａ  段付き部  ８  モータ基板  ９ａ  第一軸受部  ９ｂ  第二軸受部  １０  固定子  １０ａ  固定子コア  １０ｂ  極歯  １０ｃ  モータコイル  １１  回転子  １２  抜け止めワッシャー  １３  止め輪  １４  コイルばね
【図１】
0006017500.tif 000002
【図２】
0006017500.tif 000003